(57)【要約】【課題】輸送コスト削減に有効であって、使用時に便利で手間を省くことが可能であり、再利用に便利な包装箱を提供する。【解決手段】底板１と、底板１の一方の向かい合う側の辺に接続される２つの第１側板２と、底板１の他方の向かい合う側の辺に接続される２つのＵ形部材３と、２つの第１側板２からそれぞれ延伸する２つの当接板６とを備え、底板１を、２つの第１側板２と、２つのＵ形部材３とより囲み、一面を開口とする直方体の箱を形成する。【選択図】図１
0003138257.tif 000002
【実用新案登録請求の範囲】
【請求項１】
底板と、
前記底板の一方の向かい合う側の辺にそれぞれ接続される２つの第１側板と、
前記底板の他方の向かい合う側の辺にそれぞれ接続される２つのＵ形部材と、
前記２つの第１側板からそれぞれ延伸する２つの当接板と、
を備え、
前記底板を、前記２つの第１側板、前記２つのＵ形部材、及び前記２つの当接板が囲み、一面を開口する直方体の箱を形成することを特徴とする包装箱。
【請求項２】
前記２つの第１側板のうちの１つの第１側板から延伸する蓋板と、
前記蓋板の前記１つの第１側板に向かい合う側の辺から延伸する係合板と、
をさらに備え、
前記係合板と前記係合板に対応する前記１つの第１側板とには磁石が対応して設けられ、前記磁石により前記係合板を前記１つの第１側板に密着させることを特徴とする請求項１に記載の包装箱。
【請求項３】
前記直方体の箱に直接に被せる蓋をさらに備えることを特徴とする請求項１に記載の包装箱。
【請求項４】
前記底板は矩形をなし、
前記２つの第１側板は、前記底板の一方の向かい合う側の辺にそれぞれ垂直に接続され、前記第１側板と前記底板との接続部には第１折畳み線が設けられ、
前記Ｕ形部材は、底板に接続される第２側板と前記第２側板の向かい合う側の辺に折畳み可能に接続される接続板とを有し、前記第２側板は、前記底板の他方の向かい合う側の辺に垂直に接続され、前記第２側板と底板との接続部には第２折畳み線が設けられ、前記第２側板の幅は、前記底板の対応する側の辺の長さに等しく、前記第２側板の高さは前記第１側板の高さに等しく、前記接続板と前記第２側板との接続部には第３折畳み線が設けられることを特徴とする請求項１に記載の包装箱。
【請求項５】
前記当接板は、第１当接部材と第２当接部材とを有し、前記第１当接部材は、第１側板のうち前記底板と接続する側の辺から離れた面に折畳み可能に接続され、前記第２当接部材は、前記第１当接部材の第１側板と反対側の側の辺に折畳み可能に接続され、第１当接部材と第１側板との接続部に第４折畳み線が設けられ、前記第２当接部材と前記第１当接部材との接続部に第５折畳み線が設けられ、前記第１当接部材の高さは第１側板の高さに等しく、前記第１当接部材は、折畳み線に沿って折畳んで対応する接続板の内側に接着可能であり、前記第２当接部材の幅は底板の幅に等しく、前記第２当接部材は、折畳み線に沿って外側に折り返して底板の内面に当接し、当接板は底板と僅かに干渉することにより、当接板を底板に装着し、前記当接板は前記当接板の両側の第２側板の内面と干渉することを特徴とする請求項１に記載の包装箱。
【考案の詳細な説明】
【技術分野】
【０００１】
本考案は、包装箱に関し、特に、折り畳み可能な包装箱に関する。
【背景技術】
【０００２】
包装箱は、食品、化粧品、及び文具装飾品の外包装によく用いられ、包装箱は組み立てられると一定寸法の容積を形成することが一般的であり、その中に品物を入れるか否かにかかわらず、必ず同じ寸法の空間を占めることになる。したがって、包装箱の貯蔵中及び輸送中において、空間を浪費し、在庫及び輸送におけるコストを高めることになる。
このような包装箱の輸送における問題を解決するために、包装箱が設計された。従来の包装箱は、複数の折畳み可能な接続板を有し、輸送する場合には、各接続板が同一平面に折り返すことができるので空間を節約し輸送コストを低下させるのに有効であり、また、使用する場合には、各接続板が、箱状に折り返すことができ、使用するのに便利である。しかし、このような包装箱は、使用する場合に、接着のりあるいは固体のりにより各部分を貼り付ける必要があって、その貼り付け過程は時間を浪費するばかりか労力も浪費し、使用コストを高め、再利用することができず、資源の浪費を招くことになる。
【考案の開示】
【考案が解決しようとする課題】
【０００３】
従って、本考案は、在庫中及び輸送中において占める空間を節約するように折畳み可能な平板状になるため、輸送コスト削減に有効であり、かつ、使用する場合に接着のりにより貼り付ける必要がないため、便利で手間を省くことができかつ再利用に便利な包装箱を提供することを目的とする。
【課題を解決するための手段】
【０００４】
上記目的を解決するために、本考案に係る包装箱は、底板と、底板一方の向かい合う側の辺にそれぞれ接続される２つの第１側板と、底板の他方の向かい合う側の辺にそれぞれ接続される２つのＵ形部材と、２つの第１側板からそれぞれ延伸する２つの当接板と、を備え、底板を、２つの第１側板、２つのＵ形部材、及び２つの当接板が囲み、一面を開口とする直方体の箱を形成する。
【０００５】
（考案の効果）
総じて、本考案の包装箱は、在庫中及び輸送中において占める空間を節約するように折畳み可能な平板状になるため、輸送コストの削減に有効で、かつ、組立使用中に接着のりあるいは固体のりにより貼り付ける必要がないため、使用に便利で手間が省けさらに再利用に便利である。
【考案を実施するための最良の形態】
【０００６】
以下、図面に基づいて、本考案の好ましい実施形態について詳しく説明する。
（第１実施形態）
図１から図５に示すように、本考案の第１実施形態による包装箱は、底板１と、底板１一方の向かい合う側の辺に接続された２つの第１側板２と、底板１の他方の向かい合う側の辺に接続された２つのＵ形部材３と、１つの第１側板２から延伸する蓋板４と、蓋板４の第１側板２の反対側の側の辺から延伸する係合板５と、２つの第１側板２からそれぞれ延伸する２つの当接板６とを備える。
【０００７】
底板１は矩形をなし、２つの第１側板２は、底板１の向かい合う側の辺にそれぞれ垂直に接続され、この第１側板２と底板１との接続部に折畳み線１０が設けられている。
Ｕ形部材３はそれぞれ、底板１に接続された第２側板３２と、この第２側板３２の向かい合う側の辺に折畳み可能に接続された接続板３４とを有する。この第２側板３２は、底板１の他方の向かい合う側の辺に垂直に接続され、かつ、この第２側板３２と底板１との接続部に折畳み線１１が設けられている。この第２側板３２の幅は、この底板１の対応する側の辺縁の長さに実質的に等しく、高さは第１側板２の高さに実質的に等しい。接続板３４と第２側板３２との接続部に折畳み線３５が設けられている。この接続板３４は、第２側板３２と底板１にそれぞれ垂直に組み立てられ、底板１との間に隙間（図面せず）を有して、底板１とは接続されない。
【０００８】
当接板６は第１当接部材６２と第２当接部材６４とを有し、第１当接部材６２は、第１側板２の底板１と接続する側の辺から離れた面に折畳み可能に接続され、第２当接部材６４は、第１当接部材６２の第１側板２と接続する側の辺と反対の側の辺に折畳み可能に接続される。第１当接部材６２と第１側板２との接続部に折畳み線６０が設けられ、第２当接部材６４と第１当接部材６２との接続部に折畳み線６６が設けられる。第１当接部材６２の高さは第１側板２の高さに実質的に等しく、第１当接部材６２は、折畳み線６０に沿って折畳んで、それに対応する接続板３４の内側に貼り合わせられることができ、第２当接部材６４の幅は底板１の幅に略等しく、第２当接部材６４は、折畳み線６６に沿って外側に折り返されて底板１の内側の面に当接し、当接板６が底板１と僅かに干渉することにより、当接板は底板１に装着される。また、この当接板６はその両側の第２側板３２の内側の面と干渉し、この当接板６と第２側板３２との間に生じる干渉により当接板６をさらに固定する。このように、当接板６が固定されることによって、当該２つの第１側板２、２つの第２側板３２、及び底板１に、第１側板２、第２側板３２、及び底板１により囲まれ、且つ一面を開口とする直方体の箱を形成させる。
【０００９】
蓋板４は１つの第１側板２に折畳み可能に接続され、第１側板２との接続部に折畳み線４０が設けられており、この折畳み線４０に沿って前記箱の開口端に被せるように蓋板４を折り返すことができる。
係合板５は、蓋板４の折畳み線４０に向かい合う側の辺に折畳み可能に接続され、蓋板４との接続部に折畳み線５０を設けており、この折畳み線５０に沿って、当該対応する第１側板２に接着するように蓋板４を折り返すことができ、かつ、この係合板５と当該対応する第１側板２とのそれぞれには磁石（図面せず）が対応して設けられ、この磁石により係合板５を第１側板２に密着させ、従って、蓋板４を開口に密着して被せる。
【００１０】
図１に示すように、この包装箱を輸送する場合に、それらを同一平面に折畳むことができ、製品の容積を著しく小さくすることができるため、その輸送効率は高く、かつ箱が押えられて壊れたり扁平になったりすることを心配する必要がない。
図２から図４に示すように、本考案の第１実施形態による包装箱は、組立して使用する場合に、まず、２つのＵ形部材３のそれぞれを上方に曲げて、第２側板３２と底板１とが垂直に交わるようにし、さらにこれら４つの接続板３４の全部を内側に曲げて、この接続板３４と、第２側板３２と、底板１とがいずれも垂直に交わるようにし、その後に、２つの第１側板２をそれぞれを上方に曲げて、これら２つの第１側板２を当該４つの接続板３４に貼り付け、続いて、第１当接部材６２及び第２当接部材６４をそれぞれを下方、外側に曲げて、第１当接部材６２を当該４つの接続板３４の内表面に貼り付け、第２当接部材６４を底板１の内側の面に貼り付け、この第１当接部材６２及び第２当接部材６４と第２側板３２及び底板１との干渉により、接続板３４を第１側板２に固定的に接続させ、直方体の箱を形成する。従って、本考案の第１実施形態による包装箱は、使用中、接着のりあるいは固体のりにより貼り付ける必要がなく、実装して使用するのに便利で手間を省くことができ、環境を保護し、再利用に便利である。
【００１１】
（第２実施形態）
図６及び図７に示すように、本考案の第２実施形態による包装箱は、底板１と、底板１の一方の向かい合う側の辺に接続された２つの第１側板２と、底板１の他方の向かい合う側の辺に接続された２つのＵ形部材３と、蓋７と、第１側板２からそれぞれ延伸する２つの当接板６とを備える。第１実施形態で説明したように、これら底板１、２つの第１側板２、２つのＵ形部材３、及び当接板６は、底板１、第１側板２、Ｕ形部材３、及び当接板６により囲まれ、かつ一面を開口とする直方体の箱を形成する。蓋７は、この底板１に対応する蓋体７２及び該蓋体７２の周辺から下方に延伸する蓋縁７４を有する。この蓋７はこの長方体形の箱に直接に被せる。
総じて、本考案の実施形態による包装箱は、在庫中及び輸送中において占める空間を節約するように平板状に折畳み可能であり、これにより、輸送コストを低減するに有効で、また、組立使用中においても接着のりあるいは固体のりにより貼り付ける必要がないため使用に便利で手間を省くことができ、また再利用に便利である。
【図面の簡単な説明】
【００１２】
【図１】本考案の第１実施形態による包装箱の展開状態を示す平面図である。
【図２】本考案の第１実施形態による包装箱の組立過程を示す斜視図である。
【図３】本考案の第１実施形態による包装箱の組立過程を示す斜視図である。
【図４】本考案の第１実施形態による包装箱の組立過程を示す斜視図である。
【図５】本考案の第１実施形態による包装箱の斜視図である。
【図６】本考案の第２実施形態による包装箱の分解斜視図である。
【図７】本考案の第２実施形態による包装箱の斜視図である。
【符号の説明】
【００１３】
１：底板、１０、１１、３５、４０、５０、６０、６６：折畳み線、２：第１側板、３：Ｕ形部材、３２：第２側板、３４：接続板、４：蓋板、５：係合板、６：当接板、６２：第１当接部材、６４：第２当接部材、７：蓋、７２：蓋体、７４：蓋縁
【図１】
0003138257.tif 000003
【図２】
0003138257.tif 000004
【図３】
0003138257.tif 000005
【図４】
0003138257.tif 000006
【図５】
0003138257.tif 000007
【図６】
0003138257.tif 000008
【図７】
0003138257.tif 000009